(57)【要約】      （修正有）【課題】蓋を固定する帯掛けと、ラベルの貼付を単一の装置で効率よく行うことができる帯掛け方法、及び帯掛け装置を提供する。【解決手段】帯シートをループ状に繰り出し、その帯シートの先端部を固定し、反対側を引き戻して初期ループを商品外周に沿うループに絞り、帯シートの先端部と重合する部分を接着し切断して帯シートを商品に帯掛けする帯掛け方法において、帯シートに少なくとも商品の値段を印字するステップと、帯シートに販促ラベルを貼付するステップと、前記印字と販促ラベルが貼付された帯シートで商品に帯掛けするステップと、を有する。【選択図】  図１
2007308187.tif 000002
【特許請求の範囲】
【請求項１】
商品載置部を囲むように帯シートをループ状に繰り出し、その帯シートの先端部を固定し、反対側を引き戻して初期ループを商品外周に沿うループに絞り、帯シートの先端部と重合する部分を接着し切断して帯シートを商品に帯掛けする帯掛け方法において、
帯シートに少なくとも商品の値段を印字するステップと、
帯シートに販促ラベルを貼付するステップと、
前記印字と販促ラベルが貼付された帯シートで商品に帯掛けするステップと、
を有することを特徴とする帯掛け方法。
【請求項２】
前記販促ラベルを貼付するステップにおける販促ラベルの貼付位置は、商品の表面側に位置する帯シートの範囲内で、且つ該帯シートに対する印字ステップの印字範囲外であることを特徴とする請求項１記載の帯掛け方法。
【請求項３】
商品載置部を囲むように帯シートをループ状に繰り出し、その帯シートの先端部を固定し、反対側を引き戻して初期ループを商品外周に沿うループに絞り、帯シートの先端部と重合する部分を接着し切断して帯シートを商品に帯掛けする帯掛け装置において、
帯シートを、商品載置部を囲むループ状に供給するフィード手段と、
商品毎の品名、値段等の印字情報が設定されている商品ファイルを有する記憶手段と、
前記商品を特定する特定手段と、
前記特定手段により特定された商品の印字情報を前記帯シートに印字する印字手段と、
前記帯シートに販促ラベルを貼付する貼付手段と、
を備えていることを特徴とする帯掛け装置。
【請求項４】
前記記憶手段は、帯シートに対する販促ラベルの貼付位置を規定する販促ラベルフォーマットを有し、前記特定手段は前記販促ラベルフォーマットを読み出す読み出し手段を有し、該読み出し手段により読み出された販促ラベルフォーマットに基づき、帯シートに前記販促ラベルが貼付されることを特徴とする請求項３記載の帯掛け装置。
【請求項５】
前記商品ファイルは、帯シートに対する印字位置を定める印字フォーマットを有し、前記販促ラベルフォーマットは販促ラベルの貼付位置を、前記印字フォーマットで設定される印字位置と重複しない位置に設定していることを特徴とする請求項４記載の帯掛け装置。
【請求項６】
前記特定手段が、前記読み出し手段を兼ねていることを特徴とする請求項４記載の帯掛け装置。
【発明の詳細な説明】
【技術分野】
【０００１】
本発明は、帯シートで商品を巻き締める、所謂「帯掛け」する帯掛け方法及びその帯掛け方法の実施に使用する帯掛け装置に関する。
【背景技術】
【０００２】
従来、この種の帯掛け装置として、例えば特許文献１に開示されているような、葉書や封書或いは新聞等を帯シートで巻き締める装置は知られている。
一方、例えばスーパーマーケット等の小売店では、寿司や惣菜、その他の生鮮食料品を容器に盛り付け、その商品を盛り付けた容器に蓋を被せて販売しているケースが多く、その場合、通常はその蓋を固定するために容器に亘ってテープを貼って止めている。そして、お客に購買意欲を促すため、前記蓋に、例えば特売商品であることを目立たせる為のラベルや、この商品は本物の○○産の魚であることを表示する特別のラベル（漁協、生産者組合等から提供されるラベル等）を貼付して、商品を陳列棚に陳列する場合がある。
【０００３】
従って、上記したような蓋付き容器の商品を、特許文献１に記載の帯掛け装置を用いて巻き締めた場合、蓋を固定することはできるが、前記のようなラベルの貼付は帯掛け作業とは別に、手貼り或いは機械貼りで行わなければならず、作業性が悪いという問題があった。
【特許文献１】特開平６−３１２７１３号公報
【発明の開示】
【発明が解決しようとする課題】
【０００４】
本発明は上記した従来の技術が有する問題点に鑑みてなされたもので、その課題とするところは、蓋を固定する帯掛けとラベルの貼付を単一の装置で効率よく行うことができる帯掛け方法、及び帯掛け装置を提供することにある。
【課題を解決するための手段】
【０００５】
上記課題を達成するために本発明の帯掛け方法は、商品載置部を囲むように帯シートをループ状に繰り出し、その帯シートの先端部を固定し、反対側を引き戻して初期ループを商品外周に沿うループに絞り、帯シートの先端部と重合する部分を接着し切断して帯シートを商品に帯掛けする帯掛け方法において、帯シートに少なくとも商品の値段を印字するステップと、帯シートに販促ラベルを貼付するステップと、前記印字と販促ラベルが付着された帯シートで商品に帯掛けするステップと、を有することを特徴とする（請求項１）。
上記販促ラベルとしては、特売商品であることを目立たせるためのＰＯＰ（Point  of  Purchase）ラベル、或いは本物の○○産の品物であることを表示するための特別のラベルや、店舗のロゴ等が挙げられる。
上記印字するステップと、販促ラベルを帯シートに貼付するステップの順序は、どちらが先でもよい。即ち、帯シートに所定事項を印字した後に販促ラベルを貼付しても、或いは帯シートに販促ラベルを貼付した後に帯シート又は帯シートと販促ラベルに所定事項を印字するなど何れでもよい。
そして、販促ラベルを貼付するステップにおける販促ラベルの貼付位置は、商品の表面側に位置する帯シートの範囲内で、且つ該帯シートに対する印字ステップの印字範囲外とする。即ち、販促ラベルの貼付位置は、商品の表面側に現出する帯シートの印字された情報と重なり合わない位置とする（請求項２）。
【０００６】
上記手段によれば、商品を帯掛けする帯シートに販促ラベルを貼付し、その帯シートに商品の値段等、商品情報を印字し、その印字し、且つ販促ラベルを貼付した帯シートで商品に帯掛けするため、蓋を固定する帯掛けと、販促ラベルを蓋に貼付する二つの作業を、帯掛けによって同時に完了することができる。
【０００７】
又、上記帯掛け方法の実施に使用する帯掛け装置は、商品載置部を囲むように帯シートをループ状に繰り出し、その帯シートの先端部を固定し、反対側を引き戻して初期ループを商品外周に沿うループに絞り、帯シートの先端部と重合する部分を接着し切断して帯シートを商品に帯掛けする帯掛け装置において、帯シートを、商品載置部を囲むループ状に供給するフィード手段と、商品毎の品名、値段等の印字情報が設定されている商品ファイルを有する記憶手段と、前記商品を特定する特定手段と、前記特定手段により特定された商品の印字情報を前記帯シートに印字する印字手段と、前記帯シートに販促ラベルを貼付する貼付手段と、を備えていることを特徴とする（請求項３）。
【０００８】
上記帯掛けに使用する帯シートとしては、フィード手段のフィードローラによる繰り出しで環状のガイド内側に沿って直進するだけの剛性（コシの強さ）を備えており、例えば合成樹脂製の帯状のシート、或いは紙シートを使用することができる。そして、帯シートの重合する部分の接着とは、熱溶着、接着剤などによるどのような接着方法であってもよい。
又、上記商品ファイルには、商品毎の印字情報の他に、その印字情報の印字フォーマット、販促ラベル発行の有無等が設定されている。
【０００９】
上記手段によれば、特定手段によって帯掛けする商品を特定することで、該商品の印字情報と、販促ラベルの発行の有無等が設定された商品ファイルが記憶手段から読み出され、販促ラベルの発行が「有」と設定された商品の場合は、帯シートの操出途中に該帯シートに販促ラベルが付着され、且つ印字情報に基づいて所定の印字が帯シートに行われ、その帯シートで帯掛けが行われる。又、販促ラベルの発行が「無」と設定された商品の場合は、帯シートの操出途中で所定の印字を該帯シートに行ってループ状に繰り出し、その初期ループを商品に応じて絞り、帯シートの先端部と重合する部分を接着し切断して帯掛けを完了する。
【００１０】
又、前記記憶手段は、販促ラベルの発行が「有」と設定された商品毎に帯シートに対する販促ラベルの貼付位置を規定する販促ラベルフォーマットを有し、前記特定手段は前記販促ラベルフォーマットを読み出す読み出し手段を有し、該読み出し手段により読み出された販促ラベルフォーマットに基づき、帯シートに前記販促ラベルが貼付されるようにしてもよい（請求項４）。
【００１１】
上記手段によれば、販促ラベルは商品毎に設定された販促ラベルフォーマットに基づいて帯シートに貼付されるので、販促ラベルの貼付位置についていちいち考える必要がなく、最適な位置に貼付することができる。
【００１２】
更に、前記商品ファイルは、帯シートに対する印字位置を定める印字フォーマットを有し、前記販促ラベルフォーマットは販促ラベルの貼付位置を、前記印字フォーマットで設定される印字位置と重複しない位置に設定する（請求項５）。
【００１３】
上記手段によれば、帯シートに印字される印字情報の印字位置と異なる位置に販促ラベルが貼付されるため、印字情報が販促ラベルで隠れて読み取りが不能となることはない。それにより、印字情報及び販促ラベルの情報の両方を、お客に対して確実に提示することができる。
【００１４】
また、前記特定手段が、前記読み出し手段を兼ねるように構成してもよい（請求項６）。
上記手段によれば、印字情報を特定するという作業にて、販促ラベルフォーマット（販促ラベルを貼付するための位置情報（タイミングデータ）のフォーマット）が読み出されるので、帯シートに印字を行うための作業だけで、販促ラベルを貼付するフォーマットを読み出し、帯シートに販促ラベルを貼付することができる。
【発明の効果】
【００１５】
本発明の帯掛け方法は請求項１、２記載の方法により、値段等の印字情報が印字される帯シートに、販促ラベルが貼付されるので、帯掛けという一つの作業で、商品への帯掛けと販促ラベルの貼付を行うことができ、作業性の向上を図ることができる。
しかも、前記販促ラベルは帯シート上に貼付されるので、帯シートが内容物を隠す面積（範囲）内に、販促ラベルが内容物を隠す面積が重なるため、内容物を隠す面積を増やすことなく、お客に必要な情報（値付情報と販促情報等）をアピールすることができる。
【００１６】
又、帯掛け装置は請求項３記載の構成により、帯掛けという一つの作業で、商品への帯掛けと販促ラベルの貼付を行うことができ、作業性の向上を図ることができる帯掛け装置を提供できる。そして、販促ラベルの貼付は帯シートに貼付するため、該販促ラベルの貼付によって内容物が隠れる面積は増えず、従って商品をしっかり現出させながら、お客にアピールしたい情報を確実に提示することができる。
更に、請求項４記載の構成により、販促ラベルは商品毎に設定された販促ラベルフォーマットに基づいて帯シートに貼付されるので、販促ラベルの貼付位置についていちいち考える必要がなく、最適な位置に貼付することができる。
【００１７】
また、請求項５記載の構成により、帯シートに印字される印字情報の印字位置と異なる位置に販促ラベルが貼付されるため、印字情報が販促ラベルで隠れて読み取りが不能となることはない。それにより、印字情報及び販促ラベルの情報の両方を、お客に対して確実に提示することができる。
更に、請求項６記載の構成により、印字情報を特定するという作業にて、販促ラベルフォーマットが読み出されるので、帯シートに印字を行うための作業だけで、販促ラベルを貼付するフォーマットを読み出し、帯シートに販促ラベルを貼付することができる。
【発明を実施するための最良の形態】
【００１８】
以下、本発明に係る帯掛け装置の実施の一例を図面に基づいて説明する。
図１乃至図３は、帯シートで商品に帯掛けする帯掛け装置Ａの概略を示し、該装置は商品Ｗの周りに帯シートａを周回させるための初期ループを形成する環状のガイド１と、そのガイド１の側方に配置した帯シートロールａ’の装填部２と、前記帯シートａに販促ラベルｂを貼付するラベル貼付部（貼付手段）３と、前記帯シートａに商品情報を印字する印字部（印字手段）４と、商品情報が印字された帯シートを前記環状のガイド１内面に沿って繰り出し及び引き戻すフィード手段５と、初期ループ状態から帯シートの後端側を引き戻して商品Ｗの外周に沿うループ形状に縮径して帯シートの先端部と重合部を熱溶着する溶着部６と、帯シートを切断するカッタ７、及びこれら溶着部６とカッタ７を上下駆動する駆動部８と、更に商品情報等が表示される表示部９と、操作部１０とで構成されている。
【００１９】
上記環状のガイド１は、商品Ｗの出し入れに供する正面略長方形状の窓孔１１を開設した前後一対の側板１ａ，１ｂと、その前後の側板１ａ，１ｂを帯シートａのテープ幅よりやや広い間隔を置いて対峙させ、且つ前記窓孔の開口縁より所定寸法外側に入った位置に沿って周方向に回した底板１ｃとで構成され、底板１ｃの表面が帯シートａの案内面として作用する。そして、底板１ｃは窓孔の孔縁に沿わせて略楕円形状に湾曲形成され、繰り出される帯シートａがスムーズに案内されて初期ループを確実に形成できるように構成されている。そして、底板１ｃは繰り出された帯シートａの先端と帯シートロールａ’に連続する部分が重なってループを形成できるように該底板１ｃに開設した開口１２を挟む始端と終端は上下方向にずらして取り付けられており、更に底板１ｃの始端側の上方における側板１ａ，１ｂの内面にはストッパ１３が取り付けられ、帯シートａの先端が位置決めされるように構成されている。
叉、上記ガイド１の窓孔１１の下側孔縁は商品Ｗの載置部として機能する。尚、前後の側板に開設する窓孔１１の形状は長方形状に限定されず、商品の出し入れに支障とならなければ形状は任意である。
【００２０】
前記ガイド１の側方に配置した帯シートロールａ’の装填部２は、帯掛けの材料となるテープ状の帯シートがロール状に巻かれたロールａ’を装填する場所で、中央には帯シートを前記ガイドに向けて繰り出す方向には自由回転し、逆方向には帯シートロールを一体化して駆動回転する一方向クラッチ内蔵の回転軸１４が取り付けられており、その回転軸１４はモータ１５で駆動するように構成されている。この帯シートロールａ’がモータ１５で逆回転されることで、後述するフィード手段５の逆回転による帯シートの引き戻し分が帯シートロールａ’に巻き取られる。叉、この装填部２の前面には開閉自在な扉（図示省略）が取り付けられ、帯シートにゴミや埃などが付着しないように構成されている。尚、回転軸１４には帯シートが引き出される方向の回転に対して過剰回転を防止する摩擦板ブレーキ構造１６が装備されている。
【００２１】
上記装填部２に装填された帯シートロールａ’の帯シートａ先端部は、本体ケースに取り付けたガイドローラ１７及びガイド板１７’を径由してフィード手段５に供給され、そのフィード手段５の作動で帯シートａは前記ガイド１内側に繰り出される。そして、前記ガイド板１７’の途中にはラベル貼付部３が配置され、そのラベル貼付部３より下流側でフィード手段５より上流側には販促ラベルｂが貼付された帯シート１に印字を行う印字部（印字手段）４が配置されている。
【００２２】
ラベル貼付部（貼付手段）３は、帯シート１が搬送される搬送路近傍に位置し、ロール状に巻いた台紙ｂ’の外側に販促ラベルｂを剥離可能に貼付したラベルロールｂ”と、台紙巻取りリール１８と、台紙ｂ’から販促ラベルｂを剥離するディスペンサ１９と、そのディスペンサ１９より下流側に台紙ｂ’から剥離した販促ラベルｂを帯シートａに対して貼付するために押え付ける押え部材２０が配置されて構成され、前記台紙巻取りリール１８がモータ２１で駆動回転されることで、ラベルロールｂ”から販促ラベルｂを貼着した台紙ｂ’が引き出されるように構成されている。
そして、ディスペンサ１９で台紙ｂ’から剥離された販促ラベルｂは、粘着面を帯シートａに付着して該帯シートａと共に搬送され、その貼付状態（貼付状態）をより確実なものとする為に押え部材２０で押え付けられる。
その押さえ部材２０としては、図４（ｂ）に示す平板部材で構成した押圧ガイド２０ａ、或いは図４（ｃ）に示す押圧ローラ２０ｂ等、何れでもよい。
上記販促ラベルｂは、特売やセールを告知するようなＰＯＰラベルの他に、その商品が本物の○○産の物であることを表示証明するための特別のラベル等、種類及び形状は問わない。
【００２３】
販促ラベルｂが貼付された帯シートａに商品情報を印字する印字部（印字手段）４は、インクリボン２２と、サーマルヘッド２３と、プラテンローラ２４と、前記プラテンローラ２４を駆動回転させるステッピングモータ２５と、同プラテンローラ２４を上下移動させる移動機構２６とで構成され、前記サーマルヘッド２３とプラテンローラ２４とは対向して配置されている。これにより、帯シートａに商品に関する所定項目、及びＪＡＮコード（バーコード）等が印字される。つまり、ラベル貼付部（貼付手段）３にて、帯シートａに販促ラベルｂが貼付されてから印字部（印字手段）４にて帯シートａへの印字がされるので、ラベル貼付部３の位置は、帯シートａの搬送路近傍で印字部（印字手段）４より上流であればよい。尚、帯シートａへの印字は、帯シートの先端からの長さによって管理制御される。この点については後段で説明する。
【００２４】
叉、上記印字部（印字手段）４におけるプラテンローラ２４は、断面略コ字型に形成したプラテンローラ支持枠２７の一側に回転自在に横架支持され、そのプラテンローラ支持枠２７の他端側はフレーム２８に軸２９で上下回動可能に支持されており、更に前記プラテンローラ支持枠２７内に支持されたプラテンローラ２４の軸部はフレームに開設した円弧案内孔３０に嵌挿され、軸２９を中心としたプラテンローラ２４の上下動が円弧案内孔３０によって案内されるように構成されている。
そして、プラテンローラ２４をサーマルヘッド２３に対して接離させる移動機構２６は、前記フレーム２８に横架した軸３１に前記プラテンローラ支持枠２７を下方に押し下げる押圧片３２を固着し、軸３１の回転による押圧片３２の下向き回動で前記プラテンローラ支持枠２７が軸２９を中心として下方に押し下げられることでプラテンローラ２４がサーマルヘッド２３に押し付けられる。そして、前記押圧片３２を軸着した軸３１の回転は、モータ３３の回転軸と該軸３１とを複数のリンク片３４で連結し、モータ３３の回転が軸３１に伝達されるように構成されている。
【００２５】
叉、前記押圧片３２を固着した軸３１の端部にはプラテンローラ２４がサーマルヘッド２３に対する接離（開閉）を検出するフラグ３５が取り付けられており、そのフラグ３５の回動軌跡上にセンサ３６，３６’が配置されている。更に、プラテンローラ２４をサーマルヘッド２３に対して当接させる動作は前記したモータ３３の回転により行われるが、プラテンローラ２４をサーマルヘッド２３から離反させる動作は、前記プラテンローラ支持枠２７とフレーム２８とに亘って引張りバネ３７を張設し、この引張りバネ３７の張力でプラテンローラ支持枠２７が上方に引き上げられ、プラテンローラ２４がサーマルヘッド２３から離反される。プラテンローラ２４の離反は、前記モータ３３の回転により押圧片３２がプラテンローラ支持枠２７から離れる上向き方向に回動された時、前記引張りバネ３７が機能して行われる。
尚、押圧片３２を固着した軸３１の前面側端部には操作レバー３８が取り付けられ、手動操作で押圧片３２によるプラテンローラ支持枠２７の押圧を解除できるように構成されている。
【００２６】
上記印字部（印字手段）４で所定事項（品名、値段等）の印字Ｐが行われた帯シートａをガイド１側に供給するフィード手段５は、上下一対のフィードローラ５ａ，５ｂで構成され、下側のフィードローラ５ｂは定位置に支持され、上側のフィードローラ５ａは下側のフィードローラ５ｂに対して接離するよう上下回動可能に支持されている。
そして、下側のフィードローラ５ｂはモータ５ｃによって駆動回転するように構成され、上側のフィードローラ５ａは前記印字部４におけるプラテンローラ２４の上下動（接離動）に連繋して下側のフィードローラ５ｂに対する接近／離反が切り換わるように構成されている。即ち、印字部（印字手段）４のプラテンローラ２４がサーマルヘッド２３に接近する印字状態時は上側のフィードローラ５ａは下側のフィードローラ５ｂから離反し、印字手段４のプラテンローラ２４がサーマルヘッド２３から離反する時は上側のフィードローラ５ａは下側のフィードローラ５ｂと接触するように構成されている。
この上側のフィードローラ５ａが下側のフィードローラ５ｂと接触し、上下のフィードローラ５ａ，５ｂによって帯シートａが挾着され、下側のフィードローラ５ｂが正転方向（時計回り方向）に駆動回転することで帯シートａはガイド１に向けて送り出され、逆転方向（反時計回り方向）に駆動回転することで帯シート１は引き戻される。
【００２７】
上側のフィードローラ５ａは、矩形状の枠体３９に回転可能に横架支持され、その枠体３９はフレーム２８に対し軸４０で上下回動可能に軸支されている。枠体３９の回動支点となる軸４０の位置は、上側のフィードローラ５ａが下方に回動して下側のフィードローラ５ｂと接触する接点が下側のフィードローラの軸芯を通る鉛直線上となる位置とする。
そして、この前記枠体３９は、該枠体３９の側近でフレーム２８に回動自在に軸支した押圧カム４１によって下方に回動されるように構成されている。
上記押圧カム４１の回動は、前記印字部（印字手段）４における押圧片３２を固着した軸３１と押圧カム４１とをリンク４２で連結し、軸３１の回動により押圧カム４１がリンク４２を介して揺動されるように構成されている（図４（ａ）参照）。尚、上側のフィードローラ５ａを保持した枠体３９の上方への回動（フィードローラの離反）は、前記押圧カム４１による枠体３９の押圧が解除された時、付勢手段６４によって軸４０を中心として上方に回動することで離反される。
【００２８】
上記フィード手段５の下流側で前記ガイドの下側位置には、前記ガイド１内に供給した帯シートａを該ガイド１の内面に沿って案内し、初期ループを形成し、その後ガイド内に載置した商品Ｗの外周面に沿うように初期ループを絞って縮径し、帯シートａの先端部と重なり合う部分を熱溶着し、且つ帯シートロールａ’に繋がる帯シートａを切断する溶着部６、カッタ７、及びこれら溶着部６とカッタ７を上下駆動する駆動部８が配置されている。
【００２９】
上記溶着部６は、前記ガイド１の窓孔１１における下側の底板１ｃの開口１２内に、帯シートの繰り出し方向に向かい所定間隔をおいて鉛直に起立配置した第１押え板４３，第２押え板４４と、その第１押え板４３と第２押え板４４との間に配置した熱溶着板４５と、これら第１押え板４３、第２押え板４４及び熱溶着板４５の真上位置にガイド１の側方から出没自在に配置した受け板４６とで構成されている。
そして、前記フィード手段５寄りに配置した第１押え板４３には上端面より僅か下方位置に帯シートａが嵌挿される通孔４７が開設されており、フィード手段５の作動で繰り出される帯シートａの先端はこの通孔４７を通ってガイド１に供給される。その為に、第１押え板４３より下流側に配置される第２押え板４４の上端は前記第１押え板４３の通孔４７の下側孔縁と面一か或いは下側孔縁より下方となるように配置されている。
叉、第１押え板４３と第２押え板４４との間に配置する熱溶着板４５は、第１押え板４３と第２押え板４４で帯シートａを押えた後熱溶着する為、該熱溶着板４５の上端は第２押え板４４の上端より下方に位置されている。
【００３０】
前記第１押え板４３と熱溶着板４５の上端面を受け止める受け板４６は、前記ガイド１の側方（裏側）に該ガイドと直交して配置され、且つその受け板４６の上面はガイド１の窓孔１１の下側孔縁と面一に保持され、ガイド１内に突出して商品載置面を形成する。そして、この受け板４６とガイド１の底板１ｃとで区画される通路（空間）に帯シートａの先端部が嵌入し、その帯シートａの先端部は前記開口１２より下流側における側板１ａ，１ｂの内面に突出形成したストッパ１３に衝合して先端の位置決めが行われる。
【００３１】
カッタ７は、帯シートａの重合部を熱溶着してループを完成させた後、そのループに連続する帯シートを溶着部近傍で切断するもので、前記第１押え板４３と熱溶着板４５との間に挾着配置され、且つ前記第１押え板４３の側面に沿って該第１押え板４３の通孔４７を越える位置まで上下することで、該通孔４７を貫通している帯シートａは第１押え板４３の通孔４７の孔縁とカッタ７によるせん断作用で切断されるように構成されている。
【００３２】
上記した溶着部６とカッタ７を上下駆動する駆動部８は、モータ４８とカム機構４９とで構成され、カム機構４９はカムやリンク機構を前記第１押え板４３、第２押え板４４、熱溶着板４５、カッタ７に連結し、更に前記第１押え板４３、第２押え板４４、熱溶着板４５とカッタ７が順次時間差をおいて上下作動するように構成されている。そして、カム機構４９の動作を制御する為に該カムを回転する軸に回転板５１を固着し、回転板５１の外周所定箇所に設けた原点をカム原点センサ５２で検知し、駆動部８が制御されるようになっている。
【００３３】
叉、前記ガイド１の帯シートａの先端が位置決め停止される位置より手前側（上流側）の所定位置には、帯掛けする為に供給される帯シートａの先端部が所定位置に到達したことを検出する帯シート先端検出センサ（停止センサ）５３が配置されている。この帯シート先端検出センサ５３の検出信号により前記帯シートａを繰り出すフィード手段５の駆動が停止され、再度駆動して帯シートａの先端がストッパに当接するまでの繰り出しが制御されている。
更に、前記ガイド１における商品Ｗが載置される位置の線上外側には、商品検出センサ５４が設置され、ガイド１内の所定位置に商品Ｗが置かれているか否かが検出されるようになっており、商品Ｗが検出されると前記フィード手段５が起動し、帯シートａの引き戻しを開始するようになっている。
【００３４】
図５は、上記の如く構成した帯掛け装置Ａの帯掛けの作動を制御する制御部と、帯掛けの帯シートａに印字を行う印字部の電気的構成を示すブロック図である。
帯掛制御部５５は、通信用ＩＮＦを介して印字制御部５６と接続され相互に交信できるようにしてあり、各制御部５５，５６は、マイクロコンピュータで構成されるＣＰＵ（中央処理装置）５７，６１により制御される。
ＣＰＵ５７には、バス５７ａを介してＲＯＭ５８、ＲＡＭ５９、帯掛機構駆動部６０、帯シート先端検出センサ（停止センサ）５３、商品検出センサ５４、カム原点センサ５２、ラベル貼付部（貼付手段）３が接続されている。
ＲＯＭ５８は、ＣＰＵ５７が実行する制御プログラムが格納されており、ＲＡＭ５９には、ＣＰＵ５７とＣＰＵ６１との通信データ等を一時記憶するエリアである。
【００３５】
前記帯掛機構駆動部６０としては、溶着部６の熱溶着板４５への通電のＯＮ／ＯＦＦ、プラテンローラ２２及び上側フィードローラ５ａの開閉駆動モータ３３、下側フィードローラ５ｂの駆動用モータ５ｃ、帯シート巻取り駆動用モータ１５、溶着切断手段６及びカッタ７の上下駆動用モータ４８、プラテンローラ駆動用モータ２５が挙げられ、これ等の駆動／停止が制御される。
【００３６】
印字制御部５６のＣＰＵ６１には、バス６１ａを介してＲＯＭ６２、ＲＡＭ６３、表示操作部９、キー操作部１０、印字部４が接続されている。
ＲＯＭ６２は、ＣＰＵ６１が実行する制御プログラムが格納されており、ＲＡＭ６３には商品毎の品名等の商品情報を記憶しておく商品ファイル（図８参照）、商品を収容する蓋付き容器（トレイ）に関する各種データを記憶しておくトレイファイル（不図示）、帯掛けの帯シートに商品に関する所定の項目を印字する為の印字位置情報を記憶しておく印字フォーマットファイル（図９参照）、帯シートａに対する販促ラベルｂの付着位置を規定する販促ラベルフォーマット（図９参照）等のファイルが記憶されている。
表示操作部９は、タッチパネルで構成されており、ＣＰＵ６１の指令に基づいて入力データの表示、プリセットデータの表示、各種メッセージの表示を行うものである。
キー操作部１０は、装置の起動、停止等のための各種スイッチ及びデータの入力等を行うキーボードからなる。
【００３７】
前記ＲＡＭ６３に記憶される商品ファイルは、図８に示すように、品番（商品番号）、品名、値段、ＰＯＰラベル（販促ラベル）ｂの発行の有無を表すフラグ、印字フォーマット番号等が設けられており、品番を特定することで、各商品を特定することができる（特定手段）。
【００３８】
ＰＯＰラベル（販促ラベル）ｂの発行の有無を表すフラグは、例えば「１」はＰＯＰラベル発行有、「０」はＰＯＰラベル発行無を表し、「１」が設定されていると、印字フォーマットのＰＯＰ欄に設定されているタイミングで前記ラベル貼付部（貼付手段）３のモータ２１が駆動される。
【００３９】
印字フォーマットファイルは、図９（ａ）、（ｂ）、（ｃ）に示すように、印字フォーマット番号（識別子）毎に印字開始、印字項目（品名、値段、バーコード等）毎の印字位置情報が設定されており、印字位置は帯シートの先端からの距離、帯シートの幅に対する位置（帯シートの幅方向の一方端を基点Ｏ（０，０）とし、その基点から幅方向（Ｘ）、及び長手方向（Ｙ）を始点として、そこからのＸ方向の幅（印字領域Ｘ幅）、Ｙ方向の幅（印字領域Ｙ幅）が設定されている。
印字位置Ｘは、対応項目の印字エリアについて、印字時における帯シートの進行方向と直交する方向における基点Ｏから印字開始位置のＸ座標を表し、ドット単位で示される値である。
印字位置Ｙは、対応項目の印字エリアについて、印字時における帯シートの進行方向における基点Ｏから印字開始位置のＹ座標を表し、ドット単位で示される値である。
印字領域Ｘ幅は、対応項目の印字エリアのＸ座標方向のドット数、印字領域Ｙ幅は対応項目の印字エリアのＹ座標方向のドット数を表す。上記各ドット数は、キー操作部１０の数字キーによる入力により任意の数字に設定することができる。また、本実施例では８ドット分が１ｍｍに該当するようになっている。
尚、ＪＡＮコード（バーコード）を帯シートに印字する場合、ＪＡＮコードの印字位置データも印字フォーマットファイルに設定される。
【００４０】
又、印字フォーマットファイルには、図９（ｄ）に示すように、上記した印字情報の印字位置データの他に、前記したＰＯＰラベル（販促ラベル）を帯シートａに対して貼付するタイミング（位置）が設定されている
ＰＯＰラベル（販促ラベル）ｂを貼付するタイミングデータは、印字部（印字手段）のプラテンローラ２４を駆動回転させるステッピングモータ２５が駆動を開始して印字が開始された後、何秒後にラベル貼付部（貼付手段）３のモータ２１を駆動させるかが設定されている。この時間を変えることで、帯シートａの長さ方向でのラベル貼付位置が可変される。
上記印字フォーマットは、各商品の品番に対応して設定されていることで、品番を選択することで、印字情報である品名や値段等の他に、ＰＯＰラベル（販促ラベル）ｂの発行の有無、及びＰＯＰラベル（販促ラベル）ｂを発行する場合の付着位置のデータ（タイミングデータ）が読み出される。
【００４１】
次に、帯シートａに販促ラベル（ＰＯＰラベル）ｂを貼付し、帯シートａに印字し、その印字した帯シートで商品に帯掛けする動作の概略を図１０のフローチャートに基づいて説明する。尚、以下の例では各商品に、印字位置情報の識別子である印字フォーマット番号が設定されており、商品が特定されることで当該商品の品名や値段などといった商品情報の印字位置情報が読み出される。
（Ｓ１）…帯シートａがセットされていることを確認し、オペレータにより電源スイッチがＯＮされる。電源スイッチがＯＮされるとＣＰＵ５７は、溶着部６とカッタ部７を上下するカム機構４９のカムが初期位置（カム原点センサ５２を遮る）に戻るよう制御する。そして、フィード手段５が作動して帯シートａの先端を所定位置まで繰り出し、駆動部８が作動してカム機構４９が作動することでカッタ７が上昇し、受け板４６がカッタ７の上方位置へ突出移動し、受け板４６とカッタ７とで帯シートａが挟まれ、帯シートａが切断される。そして、ＣＰＵ５７はフィード手段５を逆回転させて前記帯シートａの切断先端部を該フィード手段５（上下一対のフィードローラの接点間に帯シートの先端が挟まれる位置）へ引き戻し、位置させるよう制御する（図６参照）。この位置が帯シートの初期位置である。尚、印字部（印字手段）４のサーマルヘッドとプラテンローラとの接点からフィード手段５上の初期位置までの距離は装置構成時に決定される。本実施例では、この距離を４０ｍｍとする。
【００４２】
（Ｓ２）…表示操作部９に表示された商品情報の商品ファイルから、オペレータの選択操作により、帯掛けする被帯掛け商品Ｗの品番が選択され（特定手段）、当該品番の商品情報が読み出される。
（Ｓ３）…スタートボタンがオペレータにより押される。
（Ｓ４）…（Ｓ２）で選択された品番に関連付けられている印字フォーマット番号の印字位置情報がＲＡＭ６３の印字フォーマットファイルより読み出され、同様に品番に関連付けられているＰＯＰラベル（販促ラベル）ｂを貼付するか否かを示すフラグがＲＡＭ６３より読み出され（読み出し手段）、その読み出された品番の商品情報、印字位置情報、及びＰＯＰラベル貼付有無情報がＲＡＭ６３の他のエリアに一時記憶される。そして、ＲＡＭ６３の他のエリアに一時記憶された印字位置情報の印字開始データが４０ｍｍか否かをＣＰＵ６１が判断する。つまり、該印字開始データから４０ｍｍを減算し、その値が“０（ゼロ）”かどうかを判断する。そして、その減算値（差分データ）を前記ＲＡＭ６３の他のエリアに一時記憶する。
（Ｓ５）…（Ｓ４）で読み出した印字位置情報に基づき、印字開始位置が合わされる。尚、前記印字位置情報には、印字開始データの他に、帯シートａに印字する項目毎に、印字位置の始点である幅方向（Ｘ）、長さ方向（Ｙ）、その始点からのＸ方向の幅、Ｙ方向の幅等のデータが設定されている（図９参照）。
（Ｓ４）で読み出した印字開始データが４０ｍｍでない場合、つまり４０ｍｍ以上（本実施例では４０ｍｍが最小値）と判断された場合は、（Ｓ４）で一時記憶された印字位置情報の、印字開始データと初期位置である４０ｍｍとの差分データと、更にプラテン／フィードローラ開閉駆動モータ３３を駆動させプラテンローラをサーマルヘッドから離反させる信号とを、通信ＩＮＦを介してＣＰＵ６１（印字制御部）からＣＰＵ５７（帯掛制御部）へ送信する。つまり４０ｍｍ以上（本実施例では４０ｍｍが最小値）と判断された場合は、印字部（印字手段）４のプラテンローラ２４がサーマルヘッド２３から離反するよう上昇する。
印字部（印字手段）４のプラテンローラの上下動と、フィード手段５の上側のフィードローラ５ａの上下動は相反する動きをするようリンク結合されているので、フィード手段５の上側のフィードローラ５ａは下降して下側のフィードローラ５ｂとで帯シートａを挟持し、（Ｓ４）でＲＡＭ５９に一時記憶した印字開始データと４０ｍｍとの差分データ分だけ、フィード手段５のフィードローラモータ５ｃを回転させる。例えば、印字開始データが６０ｍｍである場合は、フィードローラモータ５ｃの駆動で帯シートａの先端を初期位置から２０ｍｍだけ前方に繰り出し、印字部（印字手段）４の位置から帯シートａの先端までの長さを６０ｍｍに合わせる。
【００４３】
（Ｓ６）…（Ｓ４）でＲＡＭ６３の他のエリアに一時記憶されたＰＯＰラベル（販促ラベル）ｂを貼付するか否かを示すフラグ（１：貼付する、０：貼付しない）があるかをＣＰＵ６１が判断する。ＹＥＳの場合はＳ７に進む。
（Ｓ７）…ＲＡＭ６３からラベル貼付フラグに［１］が設定されている場合、ラベル貼付位置Ｙ（貼付開始のタイミングデータ）が読み出される。
（Ｓ８）…（Ｓ７）でＲＡＭ６３に一時記憶されたラベル貼付位置情報の貼付位置Ｙのデータが７０ｍｍ以上か否かをＣＰＵ６１が判断する。ここで、７０ｍｍとは、サーマルヘッド２３とラベル貼付部との間隔で、装置の機構的な理由によって決定される。７０ｍｍより小さい数値の場合は、ラベル貼付部よりも印字部（印字手段）４寄りになる為、ラベル用紙を貼付することは物理的に不可能である。ＹＥＳの場合は（Ｓ９）に進み、ＮＯの場合は（Ｓ１２）に進む。
（Ｓ９）…（Ｓ７）でＲＡＭ６３から読み出された印字項目の印字位置Ｙの座標ドットから７０ｍｍに該当する５６０ドット分を減算し、その減算したデータと、プラテン／フィードローラ開閉駆動モータを駆動させプラテンローラをサーマルヘッドから離反させる信号とを、通信ＩＮＦを介してＣＰＵ６１からＣＰＵ５７へ送信する。
【００４４】
（Ｓ１０）…（Ｓ５）で既に印字開始位置が合っているので、（Ｓ４）で一時記憶された印字位置情報にて印字を開始する。
（Ｓ１１）…（Ｓ９）にて、帯掛制御部側で受信したデータはＲＡＭ５９の一時記憶エリアに記憶される。そして、ＣＰＵ５７の制御により、（Ｓ９）で算出された距離分、ステッピングモータが回転してＰＯＰラベル（販促ラベル）ｂを帯シートａ上に貼付する。
（Ｓ１２）…（Ｓ６）でＮＯの場合は、ＰＯＰラベル（販促ラベル）ｂは貼付されず、（Ｓ１３）で帯シートａ上に、ＣＰＵ６１の制御により、ＲＡＭ６３に記憶された印字フォーマットファイルと商品ファイルとに基づき印字部（印字手段）４で所定項目の印字が行われる。（Ｓ８）の判断がＮＯの場合も同様である。
（Ｓ１４）…印字が終了したら、ＣＰＵ５７の制御により印字部４のプラテンローラをサーマルヘッドから離反させるモータを駆動させ、これによりプラテンローラがサーマルヘッドから離反し、フィード手段５にて帯シートを挟持する。
そして、フィード手段５により帯シートが所定量繰り出され、ガイド１内の商品載置部に置かれた商品Ｗに帯シートを帯掛けし、帯シートを商品外周に沿うように縮径させて商品Ｗへの帯掛けが完了する。
以上のようにすることで、図１１（ａ）、（ｂ）に示すように帯シートａにＰＯＰラベル等の販促ラベルｂを貼付することができ、該販促ラベルｂが貼付された帯シートａによって商品Ｗを帯掛けすることができる。
【００４５】
上記の説明では、各商品に印字位置情報の識別子である印字フォーマット番号が設定されており、その印字フォーマット中に、ＰＯＰラベル（販促ラベル）ｂの貼付位置を決めるタイミングデータが設定されている実施例を示したが、これに限定されるものではない。
例えば、印字フォーマットとＰＯＰラベル（販促ラベル）ｂの貼付のための貼付位置フォーマットは別でもよい。
即ち、図１２に示すように、商品ファイルに、品番（商品番号）毎にＰＯＰラベル（販促ラベル）発行の有無と、ＰＯＰラベル（販促ラベル）の発行有の場合は同時に該ラベルを帯シートに対して貼付する貼付位置を決めるタイミングデータの識別子であるＰＯＰ貼付フォーマット番号（例えば、「０」はＰＯＰラベル発行無、「１」〜「４」はＰＯＰラベル発行有を表す）を設定し、図１３に示すように、ＰＯＰ貼付フォーマットファイルにはＰＯＰ貼付フォーマット番号毎に、帯シートに対するＰＯＰラベルの貼付位置を決めるタイミングデータを設定してもよい。その場合は、所定の品番をキー操作で呼び出してから、ＰＯＰラベル（販促ラベル）ｂの貼付位置を規定するファイルから使用するフォーマットを選択し、設定するようにしてもよい。
更に、ＰＯＰラベル（販促ラベル）の貼付位置は、上記したようにフォーマットにより可変可能としたが、商品（品番）に関係なく貼付位置を一定（固定）としてもよい。
【００４６】
また、例えば商品が収納されるトレイのサイズ毎にトレイ番号を識別子として定まっているようなトレイファイルを有し、各トレイ番号毎に帯掛けする際の帯シートを縮径する絞り量が割振られており、更にトレイ番号にＰＯＰラベル（販促ラベル）ｂを貼付するか否かのフラグ、またＰＯＰラベル（販促ラベル）ｂを貼付のための貼付位置フォーマットが設定されており、トレイ番号を商品毎に設定するようにしてもよい。各商品（各品番）に設定されているようにしてもよい。これにより、商品が特定されることでトレイ番号も特定され、使用するトレイの大きさに合った帯シートの絞り量にて帯掛けをすることができ、且つＰＯＰラベル（販促ラベル）ｂを帯シートａ上に貼付することができる。
【００４７】
帯シート上にＰＯＰラベル（販促ラベル）を貼付する位置は、図１１（ａ）、（ｂ）に示す商品Ｗの表面側に位置する帯シートの範囲内に限定されない。例えば、図１１（ａ）、（ｂ）に示すように商品Ｗにおける蓋付きトレイの蓋の形状が、側面から上面に向かって傾斜面がある場合、その傾斜面（バーコードが印字されている位置）に対応位置する帯シート上にＰＯＰラベル（販促ラベル）を貼付するようにしてもよい。
【００４８】
また、帯シートａ上に貼付するＰＯＰラベル（販促ラベル）の種類、形状は問わない。即ち、特売やセールを告知するようなラベルの他に、その商品がある特定の産地のものであることを証明するラベルや、トレーサビリティ用ラベルでも良いし、或いはその店舗のロゴでもよい。即ち、少なくとも販売促進の効果があるラベルであればよい。
【００４９】
又、商品を帯掛けする帯シートの色や材質は問わない。少なくともＰＯＰラベル（販促ラベル）の粘着面が帯シートに対して付着できるものであればよい。更に、帯シートはループ状に絞って重合部を熱溶着によって固着する場合は、熱溶着できる材質の他、紙でもよいが、紙の場合はシートとシートとの間に粘着材を挿入する手段が必要となる。
【００５０】
本発明は上記した実施の形態に限定されるものではなく、本発明の要旨を変更しない範囲で変更可能である。
（１）本実施例では帯シートでループを形成する為に環状のガイドを用いたが、ガイドを用いない帯掛け装置でもよいものである。
（２）帯シートの機械読みする印字項目の印字位置エリアの裏側に印刷（例えば白色塗料による）を施し、その印刷した位置の帯シート表面にバーコードを印字するようにしてもよい。
（３）本装置の商品載置部に計量装置を配置し、或いは計量装置を接続して、商品の重量を計測し、その計測した重量データを帯シートに印字するようにしてもよい。
（４）印字内容は問わない。被帯掛け商品の産地、添加物名、賞味期限、商品の原体を示す個体識別番号等を印字してもよい。
（５）本実施例では、図１０のフローチャートで示したように、帯シートに品名や値段等を印字した後に、ＰＯＰラベル（販促ラベル）を貼付する例を示したがこれに限らず、帯シートの所定位置にＰＯＰラベル（販促ラベル）を貼付した後に、帯シートのラベルが貼付された以外の箇所に品名や値段等の所定事項を印字するように、作業ステップの順序を逆にし、装置もそのように構成してもよい。又、その際、貼付したＰＯＰラベル（販促ラベル）上にも所定事項を印字するようにしてもよい。例えば、牛を示すＰＯＰラベルを帯シートに貼付した後、帯シート上でＰＯＰラベルが貼付された以外の箇所に品名等を印字し、ＰＯＰラベル上には牛の個体識別番号を印字するようにしてもよい。尚、個体識別番号は牛に限らず、鳥や豚であってもよいし、更には魚介類であってもよい。また、印字される内容は個体識別番号に限定されず、その商品に関連した事項でもよい。
【図面の簡単な説明】
【００５１】
【図１】本発明に係る帯掛け装置の実施の一例を示す概略正面図。
【図２】同機構部の概略を示す平面図。
【図３】同機構部の概略を示す側面図。
【図４】（ａ）は帯シートに販促ラベルを貼付する部分を示す拡大図、（ｂ）は帯シートに販促ラベルを押圧貼付する部分が平板からなる押圧ガイドである例、（ｃ）は帯シートに販促ラベルを押圧貼付付着する部分が押圧ローラである例を示す。
【図５】帯掛制御部と印字制御部の電気的構成を示すブロック図。
【図６】帯シートが初期位置にセットされ、印字を開始する状態の同説明図。
【図７】帯シートに対する印字位置、及び販促ラベル（ＰＯＰラベル）の貼付位置を示す説明図。
【図８】商品ファイルの一例を示す説明図。
【図９】（ａ）〜（ｄ）は印字フォーマットファイルの一例を示す説明図。
【図１０】帯掛け動作を説明するフローチャートである。
【図１１】（ａ）は帯掛けを完成した商品の斜視図、（ｂ）は（ａ）図の（Ｘ）−（Ｘ）線に沿える断面図。
【図１２】商品ファイルの他の例を示す説明図。
【図１３】ＰＯＰ貼付フォーマットファイルの他の例を示す説明図。
【符号の説明】
【００５２】
Ａ…帯掛け装置                      ａ…帯シート
ｂ…販促ラベル（ＰＯＰラベル）      １…ガイド
３…ラベル貼付部（貼付手段）        ４…印字部（印字手段）
５…フィード手段                    ６…溶着部
７…カッタ                          ８…熱溶着部／カッタの上下駆動部
９…表示部                        １０…操作部
Ｗ…商品
【図１】
2007308187.tif 000003
【図２】
2007308187.tif 000004
【図３】
2007308187.tif 000005
【図４】
2007308187.tif 000006
【図５】
2007308187.tif 000007
【図６】
2007308187.tif 000008
【図７】
2007308187.tif 000009
【図８】
2007308187.tif 000010
【図９】
2007308187.tif 000011
【図１０】
2007308187.tif 000012
【図１１】
2007308187.tif 000013
【図１２】
2007308187.tif 000014
【図１３】
2007308187.tif 000015